(57)【要約】      （修正有）【課題】施術時に於いて、患者の施術する部位を露出するにあたり、患者着を脱衣させることなく、また必要以上の肌の露出を少なくした使い捨て患者着を提供する。【解決手段】患者着の裏地として胸部を覆うシートを取り付けるとともに、患者着の下縁部から上縁部方向に切り取り線Ｖ，Ｗ，Ｘ，Ｙを設け、施術する部位に最も近い切り取り線を切り取ることにより必要以上の肌の露出を少なくした。【選択図】図４
0003114816.tif 000002
【実用新案登録請求の範囲】
【請求項１】
施術における患者が使用する使い捨て患者着であり、上縁部分に胸周り開口と、下縁部分に胴周り開口とを有し、前記胸周り開口の周縁部分に周り方向へ延びる弾性部材が伸長状態で取り付けられている使い捨ての上衣であって、患者着の裏地に胸部の露出を防ぐための不織布のシートが取り付けられていることを特徴とする上衣と、上縁部分に胴周り開口と、下縁部分に２つの脚周り開口とを有し、前記胴周り開口の周縁部分に周り方向へ延びる弾性部材が伸長状態で取り付けられている使い捨ての下衣とからなる不織布である患者着。
【請求項２】
患者着の下縁部分から上縁部分方向に切り取り線を有し、この切り取り線により患者着を容易に切り取ることができ、施術する部位の露出を最小限にできることを特徴とした請求項１記載の患者着。
【考案の詳細な説明】
【技術分野】
【０００１】  本考案は、エステティック、鍼灸、マッサージ、按摩等の施術者が施術を行う際に患者に着用させる使い捨て患者着に関するものである。
【背景技術】
【０００２】  従来、施術者が施術を施す際に患者が着用する患者着としては、浴衣型、甚平型、Ｔシャツ型がある。施術者は施術を施そうとする部位を露出させて施術を施すため、施術しやすいように施術室で患者を患者着に着替えさせているが、いずれの患者着も脱衣またはずり下げるかたくし上げて施術を施している。
【考案の開示】
【考案が解決しようとする課題】
【０００３】  しかしながら、上記のような患者着では、患者は施術に不必要な部位を露出することになるため、患者に不快感や不安感を与える。【０００４】  また、施術を施そうとする部位に薬剤を塗布する施術では、脱衣させた場合に於いては薬剤がベッドのシーツに付着し汚すことになり、患者着を着用した場合に於いては患者着に付着し汚すことになる。特に鍼治療に於いては鍼による施術での出血により血液が付着することによるシーツや患者着の汚染がある。このため、使用の都度消毒洗濯を行うのを常としている。【０００５】  本考案は、上記の問題点に鑑み、着衣のまま容易に施術することが可能で、施術時に於いて体の部位の露出を抑えた使い捨て可能な患者着を提供することを課題として掲げた。
【課題を解決するための手段】
【０００６】  上記目的を達成するために、この考案に係る使い捨て患者着に於いては、患者着を上衣と下衣に分け、上衣に於いては、上縁部分に胸周り開口と、下縁部分に胴周り開口とを有し、前記上縁部分の胸周り開口の周縁部分に周り方向へ延びる弾性部材をシートと共に伸長状態で取り付けられている上衣であって、下縁部分から上縁部分方向への切り取り線を有することを特徴とする不織布である使い捨て上衣とした。【０００７】  この上衣の下縁部分から上縁部分方向への切り取り線は、少なくとも１つ以上の切り取り線を有してよい。【０００８】  シートは、弾性部材と共に上縁部分の胸周り開口の周縁部分で取り付けられており、乳房を覆う垂れ部分を構成するが、乳房を覆う垂れ部分として構成することが可能であれば弾性部材と別に取り付けてもよい。【０００９】  また、シートは、上衣と同じ幅で胸周り開口の全周縁部分に取り付けられているが、乳房を覆うにたる幅であれば、その幅で取り付けてもよい。【００１０】  上衣は、弾性部材によって胸部に固定されるが、肩紐を取り付けてキャミソール形状にしてもよい。【００１１】  下衣に於いては、上縁部分に胴周り開口と、下縁部分に２つの脚周り開口とを有し、前記胴周り開口の周縁部分に周り方向へ延びる弾性部材が伸長状態で取り付けられている下衣であって、下衣の右脚部の下縁部分から上縁部分方向への切り取り線を有する共に、同様に左脚部の下縁部分から上縁部分方向への切り取り線を有することを特徴とする不織布である使い捨て下衣とした。【００１２】  この下衣の下縁部分から上縁部分方向への切り取り線は、左右両脚部それぞれに少なくとも１つ以上の切り取り線を有してよい。【００１３】  上記のような構成の本考案に於いて、施術者は目的の部位が露出するまで患者着の切り取り線を切ればよい。
【考案の効果】
【００１４】  本考案に於いて、施術者が目的の部位が露出するまで患者着の切り取り線を切ることにより、必要以上に体の部位を露出することがなくなり、さらに切り取り線の数を増やし、目的の部位に最も近い切り取り線を切ることにより、より露出する部分を少なくできる。また、繰り返し同じ施術を行う場合は、施術者が事前に切り取り線を切っておくことができるので、施術時間を短縮できる。【００１５】  上衣に於いては、目的の部位を露出させるために胸部が露出するまで切り取り線を切っても乳房はシートが覆い隠しているため、患者に安心感を与えることができ、さらにこのシートにより生地が二重になり、乳房が透けて見えることを防止できる。
【考案を実施するための最良の形態】
【００１６】  この考案の実施例について各図に基づき説明する。図１は、本考案による使い捨て患者着の上衣の一例を示す側面斜視図である。不織布からなる上衣（１０）は図２の展開図で示すように、左右両側縁（Ａ）（Ｂ）において接合することにより、上縁部分（Ｃ）に胸回り開口縁部（Ｅ）が、また、下縁部分（Ｄ）に胴回り開口縁部（Ｆ）が形成されている。胸回り開口縁部（Ｅ）の周縁部分には、周り方向へ延びる弾性部材（Ｇ）が伸長状態で取り付けられ、患者の胸部でギャザーを形成し固定される。【００１７】  不織布からなるシート（１１）の上縁部分（Ｈ）は、上衣（１０）の上縁部分（Ｃ）で弾性部材（Ｇ）と共に取り付けられ、上衣（１０）の裏地として垂れ部分を構成する。【００１８】  下縁部分（Ｄ）から上縁部分（Ｃ）方向への切り取り線（Ｉ）（Ｊ）（Ｋ）（Ｌ）は、図２の展開図で示すように、左右両側縁（Ａ）（Ｂ）の一方に切り取り線（Ｉ）と、左右両側縁（Ａ）（Ｂ）の中央に切り取り線（Ｋ）と、切り取り線（Ｋ）と左側縁（Ａ）の中央に切り取り線（Ｊ）と、切り取り線（Ｋ）と右側縁（Ｂ）の中央に切り取り線（Ｌ）との４箇所に設けた。【００１９】  図４は、本考案による使い捨て患者着の下衣（１２）の一例を示す側面斜視図である。図５及び図６は、不織布からなる下衣（１２）の前身頃（２０）及び後身頃（２１）の展開図である。前身頃（２０）と後身頃（２１）を重ね合わせ、左側縁（Ｍ）（Ｍ’）を接合し、同様に右側縁（Ｎ）（Ｎ’）及び股下（Ｏ）（Ｏ’）を接合することにより、上縁部分（Ｐ）（Ｐ’）に胴回り開口縁部（Ｒ）が、また、下縁部分（Ｑ）（Ｑ’）に脚回り開口縁部（Ｓ）（Ｔ）が形成されている。胴回り開口縁部（Ｒ）の周縁部分には、周り方向へ延びる弾性部材（Ｇ）が伸長状態で取り付けられ、患者の胴部でギャザーを形成し固定される。【００２０】  下縁部分（Ｑ）から上縁部分（Ｐ）方向への切り取り線（Ｖ）（Ｗ）（Ｘ）（Ｙ）は、図５の展開図で示すように、前身頃の左右両側縁（Ｍ）（Ｎ）に切り取り線（Ｖ）（Ｗ）と、股下（Ｏ）に切り取り線（Ｘ）（Ｙ）との４箇所に設けた。【００２１】  図３は、上衣（１０）の切り取り線（Ｉ）を切り取った一例であり、胸部まで切り取り線を切り取ってもシート（１１）が垂れ部分として乳房を覆い隠している。
【図面の簡単な説明】
【００２２】
【図１】      図１は、本考案の使い捨て患者着である上衣の斜視図である。
【図２】      図２は、本考案の使い捨て患者着である上衣の平面図である。
【図３】      図３は、本考案の使い捨て患者着である上衣の切り取り線を切り取った斜視図である。
【図４】      図４は、本考案の使い捨て患者着である下衣の斜視図である。
【図５】      図５は、本考案の使い捨て患者着である下衣の前身頃の平面図である。
【図６】      図６は、本考案の使い捨て患者着である下衣の後身頃の平面図である。
【符号の説明】
【００２３】１０  上衣
１１  シート
１２  下衣
２０  前身頃
２１  後身頃
Ａ  上衣の左側縁
Ｂ  上衣の右側縁
Ｃ  上衣の上縁
Ｄ  上衣の下縁
Ｅ  胸回り開口縁部
Ｆ  上衣の胴回り開口縁部
Ｇ  弾性部材
Ｈ  シートの上縁部分
Ｉ，Ｊ，Ｋ，Ｌ  上衣の切り取り線
Ｍ，Ｍ’  前後身頃の左側縁
Ｎ，Ｎ’  前後身頃の右側縁
Ｏ，Ｏ’  股下
Ｐ，Ｐ’  前後身頃の上縁部分
Ｑ，Ｑ’  前後身頃の下縁部分
Ｒ  下衣の胴回り開口縁部
Ｓ，Ｔ  脚回り開口縁部
Ｖ，Ｗ，Ｘ，Ｙ  下衣の切り取り線
【図１】
0003114816.tif 000003
【図２】
0003114816.tif 000004
【図３】
0003114816.tif 000005
【図４】
0003114816.tif 000006
【図５】
0003114816.tif 000007
【図６】
0003114816.tif 000008